(57)【要約】【課題】  デジタルスチルカメラに無線通信機能を搭載すると電流のピーク容量を超過してしまい、動作可能時間が極端に短くなったり、動作不能状態に陥いってしまう。【解決手段】  外部機器との無線通信を行う撮像装置において、消費電力のそれぞれ異なる複数の動作モードで撮像動作を行う撮像手段と、前記外部機器への送信出力を設定する送信出力設定手段と、前記送信出力設定手段にて設定される送信出力で前記外部機器への送信を行う送信手段と、前記送信出力設定手段にて設定される送信出力に応じて前記撮像手段の動作モードを変更する動作モード変更手段とを有する。【選択図】  図１
2006270537.tif 000002
【特許請求の範囲】
【請求項１】
外部機器との無線通信を行う撮像装置において、
消費電力のそれぞれ異なる複数の動作モードで撮像動作を行う撮像手段と、
前記外部機器への送信出力を設定する送信出力設定手段と、
前記送信出力設定手段にて設定される送信出力で前記外部機器への送信を行う送信手段と、
前記送信出力設定手段にて設定される送信出力に応じて前記撮像手段の動作モードを変更する動作モード変更手段とを有することを特徴とする撮像装置。
【請求項２】
前記撮像手段は、通常電力で動作する通常動作モードと通常の電力よりも低い電力で動作する低電力動作モードにてそれぞれ動作可能な複数のデバイスから構成され、前記複数のデバイスの動作モードをそれぞれ設定することで、消費電力のそれぞれ異なる複数の動作モードで撮像動作を行うことを特徴とする請求項１に記載の撮像装置。
【請求項３】
前記動作モード変更手段は、前記送信出力設定手段にて設定される送信出力が大きくなるにしたがって、低電力動作モードにて動作させるデバイスが増えるように前記撮像手段の動作モードを変更することを特徴とする請求項２に記載の撮像装置。
【請求項４】
外部機器との無線通信を行う撮像装置において、
撮像動作を行う撮像手段と、
前記外部機器への送信出力を設定する送信出力設定手段と、
前記送信出力設定手段にて設定される送信出力で外部機器への送信を行う送信手段と、
前記送信出力設定手段にて設定される送信出力に応じて前記撮像手段に供給する電力量を制御する電力制御手段とを有することを特徴とする撮像装置。
【請求項５】
前記電力制御手段は、前記送信出力設定手段にて設定される送信出力が大きくなるにしたがって、前記撮像手段に供給する電力量を小さくするように制御することを特徴とする請求項４に記載の撮像装置。
【請求項６】
前記撮像手段は、通常電力で動作する通常動作モードと通常の電力よりも低い電力で動作する低電力動作モードにてそれぞれ動作可能な複数のデバイスから構成され、前記電力制御手段は前記複数のデバイスの動作モードをそれぞれ設定することで前記撮像手段に供給する電力量を制御することを特徴とする請求項４に記載の撮像装置。
【請求項７】
前記外部機器からの信号の電界強度を検出する受信強度検出手段を有し、前記送信出力設定手段は前記受信強度検出手段の検出結果に応じて送信出力を設定することを特徴とする請求項１ないし６のいずれかに記載の撮像装置。
【請求項８】
外部機器との無線通信を行う画像再生装置において、
消費電力のそれぞれ異なる複数の動作モードで画像再生動作を行う画像再生手段と、
前記外部機器への送信出力を設定する送信出力設定手段と
前記送信出力設定手段にて設定される送信出力で外部機器への送信を行う送信手段と、
前記送信出力設定手段にて設定される送信出力に応じて前記画像再生手段の動作モードを変更する駆動モード変更手段とを有することを特徴とする画像再生装置。
【請求項９】
前記画像再生手段は、通常電力で動作する通常動作モードと通常の電力よりも低い電力で動作する低電力動作モードにてそれぞれ動作可能な複数のデバイスから構成され、前記複数のデバイスの動作モードをそれぞれ設定することで、消費電力のそれぞれ異なる複数の動作モードで画像再生動作を行うことを特徴とする請求項８に記載の画像再生装置。
【請求項１０】
前記動作モード変更手段は、前記送信出力設定手段にて設定される送信出力が大きくなるにしたがって、低電力動作モードにて動作させるデバイスが増えるように前記画像再生手段の動作モードを変更することを特徴とする請求項９に記載の撮像装置。
【請求項１１】
外部機器との無線通信を行う画像再生装置において、
画像再生動作を行う画像再生手段と、
前記外部機器への送信出力を設定する送信出力設定手段と、
前記送信出力設定手段にて設定される送信出力で外部機器への送信を行う送信手段と、
前記送信出力設定手段にて設定される送信出力に応じて前記画像再生手段に供給する電力量を制御する電力制御手段とを有することを特徴とする画像再生装置。
【請求項１２】
前記電力制御手段は、前記送信出力設定手段にて設定される送信出力が大きくなるにしたがって、前記画像再生手段に供給する電力量を小さくするように制御することを特徴とする請求項１１に記載の画像再生装置。
【請求項１３】
前記画像再生手段は、通常電力で動作する通常動作モードと通常の電力よりも低い電力で動作する低電力動作モードにてそれぞれ動作可能な複数のデバイスから構成され、前記電力制御手段は前記複数のデバイスの動作モードをそれぞれ設定することで前記画像再生手段に供給する電力量を制御することを特徴とする請求項１１に記載の画像再生装置。
【請求項１４】
前記外部機器からの信号の電界強度を検出する受信強度検出手段を有し、前記送信出力設定手段は前記受信強度検出手段の検出結果に応じて送信出力を設定することを特徴とする請求項８ないし１３のいずれかに記載の画像再生装置。
【請求項１５】
消費電力のそれぞれ異なる複数の動作モードで撮像動作を行う撮像手段を有し、外部機器との無線通信を行う撮像装置の制御方法において、
前記外部機器への送信出力を設定する送信出力設定工程と、
前記送信出力設定工程にて設定される送信出力に応じて前記撮像手段の動作モードを変更する動作モード変更工程とを有することを特徴とする撮像装置の制御方法。
【請求項１６】
撮像動作を行う撮像手段を有し、外部機器との無線通信を行う撮像装置の制御方法において、
前記外部機器への送信出力を設定する送信出力設定工程と、
前記送信出力設定工程にて設定される送信出力に応じて前記撮像手段に供給する電力量を制御する電力制御工程とを有することを特徴とする撮像装置の制御方法。
【請求項１７】
消費電力のそれぞれ異なる複数の動作モードで画像再生動作を行う画像再生手段を有し、外部機器との無線通信を行う画像再生装置の制御方法において、
前記外部機器への送信出力を設定する送信出力設定工程と、
前記送信出力設定工程にて設定される送信出力に応じて前記画像再生手段の動作モードを変更する動作モード変更工程とを有することを特徴とする画像再生装置の制御方法。
【請求項１８】
画像再生動作を行う画像再生手段を有し、外部機器との無線通信を行う撮像装置の制御方法において、
前記外部機器への送信出力を設定する送信出力設定工程と、
前記送信出力設定工程にて設定される送信出力に応じて前記画像再生手段に供給する電力量を制御する電力制御工程とを有することを特徴とする画像再生装置の制御方法。
【請求項１９】
消費電力のそれぞれ異なる複数の動作モードで撮像動作を行う撮像手段を有し、外部機器との無線通信を行う撮像装置の制御プログラムにおいて、
前記外部機器への送信出力を設定する送信出力設定モジュールと、
前記送信出力設定工程にて設定される送信出力に応じて前記撮像手段の動作モードを変更する動作モード変更モジュールとを有することを特徴とする撮像装置の制御プログラム。
【請求項２０】
撮像動作を行う撮像手段を有し、外部機器との無線通信を行う撮像装置の制御プログラムにおいて、
前記外部機器への送信出力を設定する送信出力設定モジュールと、
前記送信出力設定工程にて設定される送信出力に応じて前記撮像手段に供給する電力量を制御する電力制御モジュールとを有することを特徴とする撮像装置の制御プログラム。
【請求項２１】
消費電力のそれぞれ異なる複数の動作モードで画像再生動作を行う画像再生手段を有し、外部機器との無線通信を行う画像再生装置の制御プログラムにおいて、
前記外部機器への送信出力を設定する送信出力設定モジュールと、
前記送信出力設定工程にて設定される送信出力に応じて前記画像再生手段の動作モードを変更する動作モード変更モジュールとを有することを特徴とする画像再生装置の制御プログラム。
【請求項２２】
画像再生動作を行う画像再生手段を有し、外部機器との無線通信を行う撮像装置の制御プログラムにおいて、
前記外部機器への送信出力を設定する送信出力設定モジュールと、
前記送信出力設定工程にて設定される送信出力に応じて前記画像再生手段に供給する電力量を制御する電力制御モジュールとを有することを特徴とする画像再生装置の制御プログラム。
【発明の詳細な説明】
【技術分野】
【０００１】
本発明は、外部機器との無線通信を行う撮像装置または画像再生装置に関するものである。
【背景技術】
【０００２】
近来、銀塩フィルムを使った所謂銀塩カメラに代わって撮像素子を用いて光学像から電子的なデジタル画像データを生成するデジタルスチルカメラが急速に普及しつつある。一方、デジタルデータの通信方法としてこれまでのブルートゥ−スやＰＨＳなどの低速な無線通信手段は低消費電力であるものの、画像データを送るのには時間がかかりすぎてしまうといった問題があり、あまり普及していなかった。一方近年より高速な通信手段として無線ＬＡＮ等のような高速な無線通信手段も普及しつつある。デジタルカメラで撮影した画像データを無線ＬＡＮを利用してパーソナルコンピュータ等の他の機器へ無線送信することが知られている（特許文献１参照）。
【特許文献１】特開２００２−１９９１２１号公報
【発明の開示】
【発明が解決しようとする課題】
【０００３】
しかし、無線通信によるデータ送信は比較的大きな電力を必要とするため、電池などの携帯型の電源を駆動源とするデジタルスチルカメラでは使用できる電流容量に限りがあるため、デジタルスチルカメラに無線通信機能を搭載すると電流のピーク容量を超過してしまい、動作可能時間が極端に短くなったり、動作不能状態に陥いってしまうといった問題が生じる恐れがある。
【０００４】
このような課題に鑑み、本発明は撮像装置または画像再生装置に無線通信機能を備えたとしても、電流のピーク容量を超過してしまうことのない撮像装置または画像再生装置もしくはその制御方法を提供することを目的とする。
【課題を解決するための手段】
【０００５】
本発明は、外部機器との無線通信を行う撮像装置において、消費電力のそれぞれ異なる複数の動作モードで撮像動作を行う撮像手段と、前記外部機器への送信出力を設定する送信出力設定手段と、前記送信出力設定手段にて設定される送信出力で前記外部機器への送信を行う送信手段と、前記送信出力設定手段にて設定される送信出力に応じて前記撮像手段の動作モードを変更する動作モード変更手段とを有することを特徴とする。
【０００６】
本発明は、外部機器との無線通信を行う撮像装置において、撮像動作を行う撮像手段と、前記外部機器への送信出力を設定する送信出力設定手段と、前記送信出力設定手段にて設定される送信出力で外部機器への送信を行う送信手段と、前記送信出力設定手段にて設定される送信出力に応じて前記撮像手段に供給する電力量を制御する電力制御手段とを有することを特徴とする。
【０００７】
本発明は、外部機器との無線通信を行う画像再生装置において、消費電力のそれぞれ異なる複数の動作モードで画像再生動作を行う画像再生手段と、前記外部機器への送信出力を設定する送信出力設定手段と、前記送信出力設定手段にて設定される送信出力で外部機器への送信を行う送信手段と、前記送信出力設定手段にて設定される送信出力に応じて前記画像再生手段の動作モードを変更する駆動モード変更手段とを有することを特徴とする。
【０００８】
本発明は、外部機器との無線通信を行う画像再生装置において、画像再生動作を行う画像再生手段と、前記外部機器への送信出力を設定する送信出力設定手段と、前記送信出力設定手段にて設定される送信出力で外部機器への送信を行う送信手段と、前記送信出力設定手段にて設定される送信出力に応じて前記画像再生手段に供給する電力量を制御する電力制御手段とを有することを特徴とする。
【０００９】
消費電力のそれぞれ異なる複数の動作モードで撮像動作を行う撮像手段を有し、外部機器との無線通信を行う撮像装置の制御方法において、前記外部機器への送信出力を設定する送信出力設定工程と、前記送信出力設定工程にて設定される送信出力に応じて前記撮像手段の動作モードを変更する動作モード変更工程とを有することを特徴とする。
【００１０】
本発明は、撮像動作を行う撮像手段を有し、外部機器との無線通信を行う撮像装置の制御方法において、前記外部機器への送信出力を設定する送信出力設定工程と、前記送信出力設定工程にて設定される送信出力に応じて前記撮像手段に供給する電力量を制御する電力制御工程とを有することを特徴とする。
【００１１】
消費電力のそれぞれ異なる複数の動作モードで画像再生動作を行う画像再生手段を有し、外部機器との無線通信を行う画像再生装置の制御方法において、前記外部機器への送信出力を設定する送信出力設定工程と、前記送信出力設定工程にて設定される送信出力に応じて前記画像再生手段の動作モードを変更する動作モード変更工程とを有することを特徴とする画像再生装置の制御方法。
【００１２】
画像再生動作を行う画像再生手段を有し、外部機器との無線通信を行う撮像装置の制御方法において、前記外部機器への送信出力を設定する送信出力設定工程と、前記送信出力設定工程にて設定される送信出力に応じて前記画像再生手段に供給する電力量を制御する電力制御工程とを有することを特徴とする画像再生装置の制御方法。
【発明の効果】
【００１３】
設定される送信出力に応じて撮像手段もしくは画像再生手段の動作モードを変更することによって、撮像装置または画像再生装置に無線通信機能を備えたとしても、電流のピーク容量を超過してしまうことがない。
【００１４】
設定される送信出力に応じて前記撮像手段もしくは画像再生手段に供給する電力量を制御することによって、撮像装置または画像再生装置に無線通信機能を備えたとしても、電流のピーク容量を超過してしまうことがない。
【発明を実施するための最良の形態】
【００１５】
図１は本発明を実施したデジタルスチルカメラのブロック図である。同図においてＡはデジタルスチルカメラ部で得られた画像データを他の無線通信機器に送信する無線ユニット部である。無線ユニット部Ａは無線電波を送受信するためのアンテナ１、アンテナ１で受信した信号を所定の信号変換を行なう受信部２、映像信号などを送信信号に変換してアンテナ１に出力する送信部３、アンテナ１で受信した電波の強度を検出する受信強度検出部４で構成されている。
【００１６】
また図１のＢは被写体を撮影して得られた画像データ等を記録再生する記録再生部である。記録再生部Ｂは撮影レンズ５、撮影レンズ５のズーミングを行なうズームモータ６、撮影レンズ５のフォーカシングを行なうフォーカスモータ７、撮影レンズ５によって得られる被写体像を光電変換する撮像素子８、撮像素子８で得られた画像データに対して所定の信号処置を施してデジタル映像データを生成する映像信号処理部９、映像信号処理部９で生成されたデジタル映像データや受信部２で得られた信号データを記憶するメモリ部１０、デジタル映像等の映像信号を表示するＬＣＤパネル１１、ＬＣＤパネル１１を照明するバックライト１２、撮影時に被写体への照明を行なうストロボ１３、ストロボ１３への電力供給を行なうメインコンデンサ１４、デジタルスチルカメラの動作状態を発光状態で示す表示ＬＥＤ１５で構成されている。記録再生部Ｂを構成するそれぞれのデバイスは通常の電力で駆動される通常モードと、通常の電力よりも低い電力で駆動される低電力モードの２つの動作モードにて動作させることができる。記録再生部Ｂを構成するデバイスの動作モードをそれぞれ設定することで、記録再生部Ｂはそれぞれ異なる消費電力で駆動されることとなる。したがって、通常モードで駆動するデバイス、低電力モードで駆動するデバイスの組み合わせを変えることで記録再生部Ｂは消費電力の異なる複数の動作モードで動作する。
【００１７】
１７は無線ユニット部Ａの送信部３や記録再生部Ｂのズームモータ６、フォーカスモータ７、バックライト１２、メインコンデンサ１４、表示ＬＥＤ１５への電力制御を行なう電力制御部である。１８は電力制御部１７を介してＣＰＵ２０へ電力を供給するバッテリーである。１９は無線ユニット部Ａと記録再生部Ｂを同時に動作させた時、どちらかを優先的に動作させるかを選択する優先モード選択部である。２０はデジタルスチルカメラの動作全般を制御する中央演算素子（ＣＰＵ）で、２１はデジタルスチルカメラの各種操作を行なうための操作部である。
【００１８】
図７は本発明を実施したデジタルスチルカメラの背面を示した平面図で、同図において１１は図１のＬＣＤパネル１１と同じものであるので同一の符号をつける。図７において、２１ａはＬＣＤパネル１１上に表示されたカーソル等を上下左右に動かすための十字キーで、２１ｂはデジタルカメラの動作モード等を変更したい場合に押下することにより図中ＬＣＤパネル上に示しているメニュー画面を表示、非表示可能なメニューボタンで、２１ｃはメニュー画面上に表示された動作モード等の機能を選択する選択ボタンである。十字キー２１ａ、メニューボタン２１ｂ、選択ボタン２１ｃは図１の操作部２１の一部である。２２は光学ファインダーののぞき窓を示している。
【００１９】
優先モード選択部１９によって設定する優先モードには、自動モードと手動モードが設定可能となっており、現在は図示の通り自動モードが設定されているものとする。
【００２０】
優先モード選択部１９によって設定される優先モードが自動モードに設定されている場合の動作を説明する。図２から図６は本発明を実施したデジタルカメラの省電力動作フローを示すフローチャートである。図２はデジタルカメラの動作モードが撮影モードであった場合の省電力動作フローを示したフローチャートで、同図において、デジタルカメラの電源が入れられ（Ｓ１０１）、通信機器との通信を行なうか否かを使用者が選択する（Ｓ１０２）。
【００２１】
通信機器との通信を行なうことが選択された場合はＳ１０３へ進み、通信機器との通信を行なわないことが選択された場合は撮影単独動作のみを行なうので省電力動作は行なわない（Ｓ１０７）。Ｓ１０３では受信強度検知手段４により選定した通信機器からの電波の受信電波強度ｆを測定する。
【００２２】
次に優先モード選択手段１９は受信電波強度ｆと閾値Ｆの値を比較し、受信電波強度ｆが閾値Ｆより大きい場合（ｆ＞Ｆ）は無線通信に必要な電力は小さくて良いと判断して、撮影動作優先モード（Ｍ１）へ移行し、受信電波強度ｆが閾値Ｆと同じか小さい場合（Ｆ≧ｆ）は無線通信に必要な電力は大きくする必要があると判断して、通信動作優先モード（Ｍ２）へ移行する。撮影動作優先モードＭ１へ移行した場合、電力制御部１７は送信部３の消費電力ｓを最小の消費電力値Ｓ０に下げ（Ｓ１０５）、撮影可能状態へ移行する（Ｓ１０６）。
【００２３】
ここで、送信部３の消費電力ｓとは、送信部３からアンテナ１に出力される送信電波の出力値である。
【００２４】
なお本実施形態では撮影動作優先モードＭ１で送信部３の消費電力ｓを最小の消費電力値Ｓ０に固定したが、受信電波強度ｆの値が大きいほど段階的に送信部３の消費電力ｓが小さくなるように制御しても良い。
【００２５】
次に通信優先モードＭ２へ移行した場合を図３、図４を用いて説明する。
【００２６】
図３においてＳ２０１でストロボ発光の必要性の有無からメインコンデンサ１４への給電の必要性を判定する。ストロボ発光の必要性はストロボ発光モード選択手段でストロボ発光禁止やストロボ強制発光等が選択されているか、被写体の明るさを撮像素子８に入射する光量を測定することにより判定する。そしてメインコンデンサ１４への給電が必要と判定された場合はＳ２０２に移行し、給電の必要はないと判定された場合はＳ２２１へ移行する。
【００２７】
Ｓ２０２からＳ２０５では受信電波強度ｆの値に応じて分岐を行なう。
【００２８】
すなわち、Ｆ＞ｆ１＞ｆ２＞ｆ３＞ｆ４の関係を満たすように、閾値Ｆ、閾値ｆ１、閾値ｆ２、閾値ｆ３、閾値ｆ４をあらかじめ設定する。Ｓ２０２で受信電波強度ｆと閾値Ｆ、閾値ｆ１との関係がＦ＞ｆ≧ｆ１であればＳ２０７へ移行し、この関係を満たしていなければＳ２０３に移行する。Ｓ２０７にて電力制御部１７は送信部３の消費電力ｓをあらかじめ定められた消費電力値Ｓ１に設定し、Ｓ２０８へ移行する。Ｓ２０８では表示ＬＥＤ１５に対して電圧を低くするか、もしくは電流量を制限することで表示ＬＥＤ１５の消費電力を下げ、Ｓ２１６へ移行する。
【００２９】
Ｓ２０３では受信電波強度ｆと閾値ｆ１、閾値ｆ２との関係がｆ１＞ｆ≧ｆ２であればＳ２０９へ移行し、この関係を満たしていなければＳ２０４に移行する。Ｓ２０９にて電力制御部１７は送信部３の消費電力ｓをあらかじめ定められた消費電力値Ｓ２に設定し、Ｓ２１０へ移行する。Ｓ２１０では表示ＬＥＤ１５とバックライト１２に対して電圧を低くするか、もしくは電流量を制限することで表示ＬＥＤ１５とバックライト１２の消費電力を下げて、Ｓ２１６へ移行する。
【００３０】
Ｓ２０４では受信電波強度ｆと閾値ｆ２、閾値ｆ３との関係がｆ２＞ｆ≧ｆ３であればＳ２１１へ移行し、この関係を満たしていなければＳ２０５に移行する。Ｓ２１１にて電力制御部１７は送信部３の消費電力ｓをあらかじめ定められた消費電力値Ｓ３に設定し、Ｓ２１２へ移行する。Ｓ２１２では表示ＬＥＤ１５、バックライト１２、ズームモータ６に対して電圧を低くするか、もしくは電流量を制限することで、表示ＬＥＤ１５、バックライト１２、ズームモータ６の消費電力を下げて、Ｓ２１６へ移行する。
【００３１】
Ｓ２０５では受信電波強度ｆと閾値ｆ３、閾値ｆ４との関係がｆ３＞ｆ≧ｆ４であればＳ２１３へ移行し、この関係を満たしていなければＳ２０６に移行する。Ｓ２１３にて電力制御部１７は送信部３の消費電力ｓをあらかじめ定められた消費電力値Ｓ４に設定し、Ｓ２１４へ移行する。Ｓ２１４では表示ＬＥＤ１５、バックライト１２、ズームモータ６、フォーカスモータ７に対して電圧を低くするか、もしくは電流量を制限することで、表示ＬＥＤ１５、バックライト１２、ズームモータ６、フォーカスモータ７の消費電力を下げて、Ｓ２１６へ移行する。
【００３２】
Ｓ２０６にて電力制御部１７は送信部３の消費電力ｓをあらかじめ定められた消費電力値Ｓ５に設定し、Ｓ２１５へ移行する。
【００３３】
Ｓ２１５では表示ＬＥＤ１５、バックライト１２、ズームモータ６、フォーカスモータ７に対して電圧を低くするか、もしくは電流量を制限し、メインコンデンサ１４へ給電するための電圧または電流量を低くして表示ＬＥＤ１５、バックライト１２、ズームモータ６、フォーカスモータ７の駆動およびメインコンデンサ１４の給電動作による消費電力を下げて、Ｓ２１６へ移行する。
【００３４】
Ｓ２１６では、通信動作や撮影動作を待機する状態とする。
【００３５】
なお、Ｓ２０６、Ｓ２０７、Ｓ２０９、Ｓ２１１、Ｓ２１３にて、それぞれ設定されるあらかじめ定められた消費電力値Ｓ１、Ｓ２、Ｓ３、Ｓ４、Ｓ５は、Ｓ０＜Ｓ１＜Ｓ２＜Ｓ３＜Ｓ４の関係を満たすように設定されている。
【００３６】
Ｓ２０８、Ｓ２１０、Ｓ２１２、Ｓ２１５では、記録再生部Ｂを構成する複数のデバイスのうち、通常モードで駆動するデバイス、低電力モードで駆動するデバイスの組み合わせを変えることで記録再生部Ｂの動作モードを変更している。つまり、記録再生部Ｂの動作モードを変更することで、記録再生部Ｂにおける消費電力を変更し、電力制御部１７から供給される電力量を変更している。
【００３７】
Ｓ２０６からＳ２１５の動作によって、無線ユニット部Ａの無線通信動作で大きな電力を消費する場合には、記録再生部Ｂの撮影動作での消費電力を省電力化するように制御している。したがって、最大消費電力が大きくなり過ぎないように無線ユニット部Ａにおける無線通信動作と記録再生部Ｂにおける撮影動作の消費電力のバランスを取っている。
【００３８】
次にＳ２０１でメインコンデンサ１４への給電を行なわないと判定された場合の動作を図４を用いて説明する。
【００３９】
Ｓ２２１からＳ２２４では、前述のＳ２０２からＳ２０５の動作と同様に、Ｆ＞ｆ１＞ｆ２＞ｆ３＞ｆ４の関係を満たすように、閾値Ｆ、閾値ｆ１、閾値ｆ２、閾値ｆ３、閾値ｆ４をあらかじめ設定する。
【００４０】
Ｓ２２１で受信電波強度ｆと閾値Ｆ、閾値ｆ１との関係がＦ＞ｆ≧ｆ１であればＳ２２６へ移行し、この関係を満たしていなければＳ２２２に移行する。Ｓ２２６にて電力制御部１７は送信部３の消費電力ｓをあらかじめ定められた消費電力値Ｓ１に設定し、Ｓ２１６へ移行する。
【００４１】
Ｓ２２２では受信電波強度ｆと閾値ｆ１、閾値ｆ２との関係がｆ１＞ｆ≧ｆ２であればＳ２２７へ移行し、この関係を満たしていなければＳ２２３に移行する。Ｓ２２７にて電力制御部１７は送信部３の消費電力ｓをあらかじめ定められた消費電力値Ｓ２に設定し、Ｓ２２８へ移行する。Ｓ２２８では表示ＬＥＤ１５に対して電圧を低くするか、もしくは電流量を制限することで表示ＬＥＤ１５の消費電力を下げ、Ｓ２１６へ移行する。
【００４２】
Ｓ２２３では受信電波強度ｆと閾値ｆ２、閾値ｆ３との関係がｆ２＞ｆ≧ｆ３であればＳ２２９へ移行し、この関係を満たしていなければＳ２２４に移行する。Ｓ２２９にて電力制御部１７は送信部３の消費電力ｓをあらかじめ定められた消費電力値Ｓ３に設定し、Ｓ２３０へ移行する。Ｓ２３０では表示ＬＥＤ１５とバックライト１２に対して電圧を低くするか、もしくは電流量を制限することで、表示ＬＥＤ１５とバックライト１２の消費電力を下げて、Ｓ２１６へ移行する。
【００４３】
Ｓ２２４では受信電波強度ｆと閾値ｆ３、閾値ｆ４との関係がｆ３＞ｆ≧ｆ４であればＳ２３１へ移行し、この関係を満たしていなければＳ２３３に移行する。Ｓ２３１にて電力制御部１７は送信部３の消費電力ｓをあらかじめ定められた消費電力値Ｓ４に設定し、Ｓ２３２へ移行する。Ｓ２３２では表示ＬＥＤ１５とバックライト１２と、ズームモータ６に対して電圧を低くするか、もしくは電流量を制限することで、表示ＬＥＤ１５、バックライト１２、ズームモータ６の消費電力を下げて、Ｓ２１６へ移行する。
【００４４】
Ｓ２３３にて電力制御部１７は送信部３の消費電力ｓをあらかじめ定められた消費電力値Ｓ５に設定し、Ｓ２３４へ移行する。
【００４５】
Ｓ２３４では表示ＬＥＤ１５とバックライト１２と、ズームモータ６と、フォーカスモータ７に対して電圧を低くするか、もしくは電流量を制限することで、表示ＬＥＤ１５、バックライト１２、ズームモータ６、フォーカスモータ７の消費電力を下げて、Ｓ２１６へ移行する。
【００４６】
Ｓ２１６では、通信動作や撮影動作を待機する状態とする。
【００４７】
このようにメインコンデンサ１４への給電が必要ない場合は、バッテリー１８の供給電力に余裕が生じるので記録再生部Ｂにおける撮影動作の省電力度合いをメインコンデンサ１４への給電が必要な場合よりも少なくなるようにしている。
【００４８】
次にデジタルカメラの動作モードが再生モードの場合における動作を図５、図６を用いて説明する。図５においてデジタルカメラの電源が入れられ（Ｓ３０１）、通信機器との通信を行なうか否かを使用者が選択する（Ｓ３０２）。そして通信機器との通信を行なうことが選択された場合はＳ３０３へ進み、通信を行なわないことが選択された場合は再生単独動作のみを行なうので省電力動作は行なわない（Ｓ３０７）。Ｓ３０３では受信強度検知手段４により選定した通信機器からの電波の受信電波強度ｆを測定する。
【００４９】
次にＬＣＤパネル１１による表示を行なっているかどうかを判別し（Ｓ３０４）、ＬＣＤパネル１１による表示を行なっていない場合は再生動作が行なわれていないので通信単独動作モードＭ３に移行する。通信単独動作モードＭ３ではバッテリー１８の電力供給には十分な余力があるので、Ｓ３０５にて送信部３の消費電力ｓを最大値であるＳ６に設定して、通信待機状態Ｓ３０６へ移行する。一方、Ｓ３０４でＬＣＤパネル１１の表示が行なわれている場合には、通信・再生モードＭ４へ移行する。
【００５０】
次に通信・再生モードＭ４の動作を図６を用いて説明する。
【００５１】
Ｓ４０１からＳ４０４で受信電波強度ｆの値と閾値ｆ１、閾値ｆ２、閾値ｆ３、閾値ｆ４との関係に応じて分岐を行なう。閾値ｆ１〜ｆ４については前述と同様に、ｆ１＞ｆ２＞ｆ３＞ｆ４の関係を満たすように設定されている。
【００５２】
受信電波強度ｆと閾値ｆ１との関係がｆ＞ｆ１であった場合（Ｓ４０１）、Ｓ４０５で電力制御部１７は送信部３の消費電力ｓをあらかじめ定められた消費電力値Ｓ１に設定して（Ｓ４０５）、通信・再生待機状態Ｓ４１２に移行する。受信電波強度ｆと閾値ｆ１、ｆ２との関係がｆ１＞ｆ＞ｆ２であった場合（Ｓ４０２）、電力制御部１７は送信部３の消費電力ｓをあらかじめ定められた消費電力値Ｓ２に設定して（Ｓ４０６）、Ｓ４１２に移行する。
【００５３】
受信電波強度ｆと閾値ｆ２、ｆ３との関係がｆ２＞ｆ≧ｆ３であった場合（Ｓ４０３）、電力制御部１７は送信部３の消費電力ｓをあらかじめ定められた消費電力値Ｓ３に設定して（Ｓ４０７）、Ｓ４１２に移行する。
【００５４】
受信電波強度ｆと閾値ｆ３、ｆ４との関係がｆ３ｆ≧ｆ４であった場合（Ｓ４０４）、電力制御部１７は送信部３の消費電力ｓをあらかじめ定められた消費電力値Ｓ４に設定し（Ｓ４０８）、Ｓ４０９で表示ＬＥＤ１５に対して電圧を低くするか、もしくは電流量を制限することで、表示ＬＥＤ１５の消費電力を制限して、Ｓ４１２に移行する。
【００５５】
受信電波強度ｆと閾値ｆ４との関係がｆ４＞ｆであった場合、電力制御部１７は送信部３の消費電力ｓをあらかじめ定められた消費電力値Ｓ５に設定し、Ｓ４１１で表示ＬＥＤ１５、バックライト１２に対して電圧を低くするか、もしくは電流量を制限することで、表示ＬＥＤ１５、バックライト１２の消費電力を制限して、Ｓ４１２に移行する。
【００５６】
Ｓ４１２にて、通信動作および再生動作を待機する状態となる。
【００５７】
なお、本実施形態では無線ユニット部Ａによる通信動作と記録再生部Ｂによる再生動作を同時に行なう場合においても、無線ユニット部Ａや記録再生部Ｂの消費電力の制限を行なっているが、一般に再生動作時の消費電力は撮影動作時の消費電力よりも小さいので、通信動作と再生動作を同時に行なってもバッテリー１８の電力供給に余裕がある場合は消費電力の制限を行なわないようにしても良い。
【００５８】
次に優先モード選択部１９によって設定される優先モードが手動モードの場合の動作を図７から図９を用いて説明する。
【００５９】
図７に示されている状態にて、十字キー２１ａによりカーソルを操作して、「３優先モード」の位置に移動させて選択ボタン２１ｃを押すとＬＣＤパネル１１は図８に示す表示に変更される。図８において更に十字キー２１ａにより手動設定と表示された位置に図示しないカーソルを移動させて選択ボタン２１ｃを押すとＬＣＤパネル１１は図９に示す表示に変更される。
【００６０】
図９において、２３は優先モードが撮影動作を優先させるか、無線動作を優先させるかのレベルを示す横軸バーで、２４は優先モードのレベル位置を指し示すレベルカーソルで、十字キー２１ａにより横軸バー２３に沿って移動させることができる。ＬＣＤパネル１１はレベルカーソル２４の位置における無線強度と記録再生部Ｂの省電力制御を行なう部品も同時に表示している。
【００６１】
なお、図９では無線強度はレベル３、省電力制御を行なう部品は表示ＬＥＤとバックライトであることを示している。そして使用者は使用状況等に応じて優先モードをどちら寄りに設定するかを無線強度や省電力制御を行なう機器を見ながらレベルカーソル２４を十字キー２１ａによって移動させて優先モードの設定を行なうことができる。優先モードの設定後はメニューボタン２１ｂを押すことにより直ちに通信及び撮影、再生待機状態に戻ることができる。
【００６２】
以上説明したように本実施形態では、受信電波強度ｆに応じて多段階に送信強度や電力制限を行なう部品を設定しているので、常に最適な消費電力でデジタルカメラを制御できるといった効果がある。
【００６３】
また無線通信優先モードで省電力動作を行なう部品を撮影動作により影響の無い部品から行なうようにしているので無線通信優先モードであっても撮影動作への影響がより少なくなるといった効果がある。
【００６４】
さらに本実施形態では無線通信優先モードにおいてストロボ発光の有無により省電力動作を行なう部品数と無線強度ｆに対する閾値の関係を変更しているので撮影状況に応じて省電力動作を最適化できるといった効果がある。
【図面の簡単な説明】
【００６５】
【図１】本発明を実施したデジタルカメラのブロック図
【図２】本発明を実施したデジタルカメラの撮影モードにおけるフローチャート
【図３】本発明を実施したデジタルカメラの撮影モードにおけるフローチャート
【図４】本発明を実施したデジタルカメラの撮影モードにおけるフローチャート
【図５】本発明を実施したデジタルカメラの撮影モードにおけるフローチャート
【図６】本発明を実施したデジタルカメラの撮影モードにおけるフローチャート
【図７】本発明を実施したデジタルカメラの背面を示す平面図
【図８】本発明を実施したデジタルカメラのＬＣＤパネルの表示状態を示す平面図
【図９】本発明を実施したデジタルカメラのＬＣＤパネルの表示状態を示す平面図
【符号の説明】
【００６６】
Ａ  無線ユニット部
Ｂ  記録再生部
１  アンテナ
２  受信部
３  送信部
４  受信強度検出部
５  撮影レンズ
６  ズームモータ
７  フォーカスモータ
８  撮像素子
９  映像信号処理部
１０  メモリ部
１１  ＬＣＤパネル
１２  バックライト
１３  ストロボ
１４  メインコンデンサ
１５  表示ＬＥＤ
１７  電力制御部
１８  バッテリー
１９  優先モード選択部
２０  中央演算素子（ＣＰＵ）
２１  操作部
【図１】
2006270537.tif 000003
【図２】
2006270537.tif 000004
【図３】
2006270537.tif 000005
【図４】
2006270537.tif 000006
【図５】
2006270537.tif 000007
【図６】
2006270537.tif 000008
【図７】
2006270537.tif 000009
【図８】
2006270537.tif 000010
【図９】
2006270537.tif 000011